(57)【要約】【課題】外部にネジを露出させることなく、リールボディと蓋体とを強固かつバランスよく締結固定することができ、巻き上げ操作時の効率や剛性の低下を防止することのできる魚釣用スピニングリールを提供すること。【解決手段】釣竿に装着する脚部１２ｃを延出させたリールボディ１２ａとこのリールボディの開口部Ａを覆う蓋体１２ｂとを有するリール本体１２と、このリール本体に支持されてロータ１４を駆動回転するハンドル軸２４とを備え、この蓋体１２ｂは、固定ネジが外部に露出しないようにリールボディ１２ａに締結固定される魚釣用スピニングリールであって、この蓋体１２ｂは、脚部１２ｃの近部でリールボディ１２ａに取付けられる係合部材６２に係合してリールボディ１２ａから浮上がるのを防止する浮上がり防止部７２を形成される魚釣用スピニングリール１０。【選択図】  図４
2007097424.tif 000002
【特許請求の範囲】
【請求項１】
釣竿に装着する脚部を延出させたリールボディとこのリールボディの開口部を覆う蓋体とを有するリール本体と、このリール本体に支持されてロータを駆動回転するハンドル軸とを備え、前記蓋体は、固定ネジが外部に露出しないようにリールボディに締結固定される魚釣用スピニングリールであって、
前記蓋体に、前記脚部の近部でリールボディに取付けられる係合部材に係合してリールボディから浮上がるのを防止する浮上がり防止部が形成されていることを特徴とする魚釣用スピニングリール。
【請求項２】
前記係合部材は、リール本体の外表面に装着されるカバー部材に設けられることを特徴とする請求項1に記載の魚釣用スピニングリール。
【発明の詳細な説明】
【技術分野】
【０００１】
本発明は、魚釣用スピニングリールに関し、特に、リール本体が、釣竿に装着する脚部を延出させたリールボディとこのリールボディの開口部を覆う蓋体とを有する魚釣用スピニングリールに関する。
【背景技術】
【０００２】
一般に、スピニングリールのリール本体は、ハンドルの回転運動により種々の部材を駆動するための駆動機構を収容および支持するリールボディと、このリールボディの開口部を覆う蓋体とを備えている。通常、この蓋体は、複数のネジを用いてリールボディに固定され、リール本体内の駆動機構を保守および整備することができるようになっている。このような蓋体をリールボディに固定するネジが外部に突出することにより、釣糸が引っ掛かり易く、魚釣操作の障害となることがあるだけでなく、好適な外観を形成することもできない。
【０００３】
このような釣糸の引っ掛かりを防止し、操作性および外観性を向上させるために、蓋板を固定する固定ネジをカバーで覆い、外部に露出するのを防止した魚釣用スピニングリールが開発されている（例えば特許文献１参照）。  
このスピニングリールは、リールボディと蓋体とが固定ネジで強固に固定されると共に、この固定ネジがカバーで覆われるため、これらの固定ネジが外部に露出することはなく、釣糸等が引っ掛かるのを防止することができる。
【０００４】
また、リールボディと蓋板との双方に連結手段を形成し、ハンドル軸の軸芯の周りで蓋板を回転操作してこの連結手段を連結状態と分離状態とに切換えることにより、リールボディに蓋板を固定し、あるいは分離可能とするスピニングリールが開発されている（例えば特許文献２参照）。
【特許文献１】実開平２−１７０７１号公報
【特許文献２】特開平５−７０２７２号公報
【発明の開示】
【発明が解決しようとする課題】
【０００５】
固定ネジをカバーで覆ったものは、蓋板の全てが固定されているのではなく、釣竿に装着する脚部側の蓋板がが固定されていないため、大きな負荷に対抗して釣糸を巻き取る際に、脚部側のリールボディが上方すなわち釣竿側に撓みが発生し易く、この結果、強負荷巻き取り時に蓋板とリールボディとの間に間隙が生じ、駆動機構の巻上げ効率や耐久性が低下し、あるいは、リール本体の剛性が低下する等の不具合が生じる。
【０００６】
また、リールボディと蓋体との回転操作で固定あるいは分離可能としたスピニングリールの場合は、リールボディと蓋板との同心度すなわちリールボディ内の駆動機構の駆動軸をリールボディと蓋板とのそれぞれに設けた軸受で支持する場合の同心度を高精度に維持するのが困難であり、良好な回転性能が得られ難い。特に、蓋板を回転操作して連結手段を分離あるいは固定するため、これらのリールボディと蓋板との間にガタ付きが生じ、あるいは、外周形状にズレ等が生じる虞が高い。これは回転性能を更に低下させる。
【０００７】
本発明は、このような事情に基いてなされたもので、外部にネジを露出させることなく、リールボディと蓋体とを強固かつバランスよく締結固定することができ、巻き上げ操作時の効率や剛性の低下を防止することのできる魚釣用スピニングリールを提供することを目的とする。
【課題を解決するための手段】
【０００８】
上記目的を達成する本発明の魚釣用スピニングリールは、釣竿に装着する脚部を延出させたリールボディとこのリールボディの開口部を覆う蓋体とを有するリール本体と、このリール本体に支持されてロータを駆動回転するハンドル軸とを備え、前記蓋体は、固定ネジが外部に露出しないようにリールボディに締結固定される魚釣用スピニングリールであって、前記蓋体に、前記脚部の近部でリールボディに取付けられる係合部材に係合してリールボディから浮上がるのを防止する浮上がり防止部を形成されることを特徴とする。
【０００９】
前記係合部材は、リール本体の外表面に装着されるカバー部材が設けられていることが好ましい。
【発明の効果】
【００１０】
本発明の魚釣用スピニングリールによると、蓋体に設けられた浮上がり防止部が、脚部の近部でリールボディに取付けられる係合部材に係合することにより、大きな負荷に対抗して釣糸を巻き上げる際でも、蓋体がリールボディから浮上がるのが防止されることにより、外部にネジを露出させることなく、リールボディと蓋体とを強固かつバランスよく締結固定することができ、巻き上げ操作時の効率や剛性の低下を防止することができる。
【００１１】
係合部材が、リール本体の外表面に装着されるカバー部材に設けられる場合には、カバー体と蓋体とをリールボディに同時に固定することができ、作業工程の簡素化および部品点数の削減により、コストを低減することができる。
【発明を実施するための最良の形態】
【００１２】
図１から図４は本発明の好ましい実施形態による魚釣用スピニングリール１０を示す。この魚釣用スピニングリール１０は、剛性構造のリールボディ１２ａの一側に例えば３本である複数の固定ネジ（図示しない）で着脱可能に蓋体１２ｂ（図４参照）が固定されるリール本体１２を有し、リールボディ１２ａの上部から延出する脚部１２ｃの端部に形成された竿取付部１２ｄを介して釣竿に取付けることができる。このリールボディ１２ａには、一側を開口させた内部空間Ａを形成してあり、この内部空間Ａ内に、ロータ１４を回転駆動してスプール１６に釣糸を巻回するための巻取駆動機構１８と、スプール１６を前後に往復動させるオシレーティング機構２０とが設けられている。このような種々の機構を内包した内部空間Ａは、その開口部を蓋体１２ｂで閉じられ、外部から遮断される。
【００１３】
このリール本体１２を形成するリールボディ１２ａと蓋体１２ｂとは、脚部１２ｃと反対側でリールボディ１２ａの下部に設けられた係合凹部１３ａと蓋体１２ｂの裏面すなわちリールボディ１２ａに対向する側から突出する係合凸部１３ｂとが係合することで、内部空間Ａの開口部を覆う所要の位置に正確に位置決めされる。なお、図示の実施形態とは逆に、係合凸部１３ｂをリールボディ１２ａに設け、係合凹部１３ａを蓋体１２ｂに設けてもよい。また、これらの組込み証となる係合凹部１３ａと係合凸部１２ｂとは一対に限らないと共に、その形成位置も適宜設定される。
【００１４】
リールボディ１２ａに対して正確に位置決めされた蓋体１２ｂは、この蓋体１２ｂに形成した取付孔に挿通される固定ネジを図１に示すネジ孔１１に螺合することで、リールボディ１２ａに強固に取付けられる。本実施形態ではスプール１６側で、ロータ１４内に位置するリールボディ１２ａの前方に２つと後方に１つの合計３つのネジ孔１１を形成してあり、後方の固定ネジは後述するリヤキャップで外部に露出しないようにカバーされている。
【００１５】
本実施形態の巻取駆動機構１８は、リール本体１２内に回転可能に支持されてハンドル２２で回転されるハンドル軸２４に固定された駆動歯車２６と、この駆動歯車２６に噛合するピニオンギヤ２８とを備える。ハンドル軸２４は、図４に示すように、リールボディに装着された軸受３０ａと蓋体１２ｂで支えられた軸受３０ｂとで回転自在に支えられる。このハンドル軸２４および駆動歯車２６で駆動されるピニオンギヤ２８は、ハンドル軸２４に対して直交する前後方向に延びかつリール本体１２に対して前後の２つの軸受３２ａ，３２ｂを介して回転自在に支持された筒軸２８ａの後端側外周部に設けられている。この筒軸２８ａの先端部には、ベール３４および釣糸案内部（図示しない）を備えたロータ１４が一体的に取り付けられている。
【００１６】
このピニオンギヤ２８および筒軸２８ａ内を、スプール軸３６が貫通し、ハンドル軸２４と直交する方向に延在している。このスプール軸３６は、筒軸２８ａと同心的に配されており、筒軸２８ａおよびリール本体１２に対してハンドル軸２４と直交する方向に沿って前後動することができる。このスプール軸３６の先端部に、釣糸が巻回されるスプール１６が取り付けられる。
【００１７】
スプール１６を前後方向に往復動するオシレーティング機構２０は、本実施形態ではいわゆる減速ギヤタイプとして形成してある。このオシレーティング機構２０は、ハンドル軸２４と一体回転する小歯車３８に噛合して連動する大歯車４０を有し、この大歯車４０に突設され且つ大歯車４０の回転中心軸から偏心して位置する係合突起４２を、スプール軸３６の後端部に、ネジ等で一体的に連結された摺動体４４のカム溝４６に係合させ、大歯車４０が回転したときに、摺動体４４をガイド軸４８に沿って前後方向に駆動することができる。
【００１８】
このように形成された魚釣用スピニングリール１０は、ハンドル２２を回転操作してハンドル軸２４を回転させると、オシレーティング機構２０の摺動体４６に取付けられたスプール軸３６を介してスプール１６が前後に往復動し、一方、巻取駆動機構の駆動歯車２６とピニオンギヤ２８と筒軸２８ａとを介してロータ１４が回転駆動される。したがって、スプール１６には、釣糸案内部３２で案内されつつ、スプール１６上に釣糸がほぼ均等に巻回される。
【００１９】
更に、リール本体１２の後方には、図１に示すように、リール本体１２の底部から後部を通って脚部１２ｃの下側の一部にまで延びるリヤキャップ５０が、カバー部材として設けられている。このリヤキャップ５０はリール本体１２の底部から後部にわたるリール本体の後方部位の全域および脚部１２ｃの一部を滑らかに連続した外形形状に形成し、釣糸等が引っ掛るのを防止する。更に、リールボディ１２ａとの間に間隙Ｂを形成することにより、外部からの衝撃からリール本体１２を保護することができる。
【００２０】
本実施形態のリヤキャップ５０は、リールボディ１２ａの下部の後方部位に当接する円錐台状の突部５２を下部位置から前方かつ上方に向けて突出させ、この突部５２に、固定ネジ５４の取付孔５６を凹設してある。この取付孔５６は、突部５２をリールボディ１２ａに係合した状態で、固定ネジ５４をリールボディ１２ａのネジ孔に螺合したときに、固定ネジ５４の頭部が外側に突出しない程度の深さに形成してある。また、リヤキャップ５０の上方部位には、脚部１２ｃの後部に形成した凹部５８に密に係合する係合部６０と、前方に突出する細長い突起６２とを設けてある。この細長い突起６２は円筒状の外形を有し、後述するように、蓋体１２ｂの浮上がり防止部７２を支える係合部材として機能するのに充分な長さと肉厚とを有している。
【００２１】
このリヤキャップ５０をリールボディ１２ａに保持するため、リールボディ１２ａには、固定ネジ５４を螺合するネジ孔と、リヤキャップ５０の細長い突起６２を収容する支持孔６４とを形成してある。この支持孔６４は、突起６２に密に嵌合する断面形状を有し、リールボディ１２ａの前方から固定ネジ６８を受入れる装着孔６６と連通しており、リールボディ１２ａを前後方向に貫通する。この装着孔６６内に前方から装着した固定ネジ６８を、リヤキャップ５０の突起６２に形成したネジ孔６２ａに螺合することにより、リヤキャップ５０をリールボディ１２ａに係合させて強固に固定することができる。この装着孔６６も、締付け固定した固定ネジ６８の頭部を外部に突出しない深さに形成し、釣糸等の引っ掛りを防止してある。
【００２２】
図２および図３に拡大して示すように、支持孔６４の中心軸線に交差あるいは直交する状態に矩形状の溝７０が形成してある。この溝７０は、リールボディ１２ａの一側すなわち蓋体１２ｂが取付けられる側に開口しており、蓋体１２ｂの内面側から突出する浮上がり防止部７２を収容する。この溝７０および浮上がり防止部７２は、支持孔６４の軸線に直交する平面内で見たときに、この支持孔６４よりも大きな矩形形状に形成されている。また、蓋体１２ｂの浮上がり防止部７２には、リヤキャップ５０の突起６２の外径に対応した内径を有する丸孔あるいは通孔７２ａを形成してある。この通孔７２ａは、浮上がり防止部７２を溝７０内に差込み、蓋体１２ｂがリールボディ１２ａに形成した内部空間Ａの開口を閉じる状態に正確に位置決めされたときに、支持孔６４と同軸状に整合する。
【００２３】
このような浮上がり防止部７２を形成した蓋体１２ｂは、内部空間Ａ内に、種々の機構を構成する部材を収容配置した後、リールボディ１２ａに装着し、この内部空間Ａの一側に形成された開口を閉じる。このとき蓋体１２ｂの下部に設けた係合凸部１３ｂを、リールボディ１２ａの対応する係合凹部１３ａに嵌合することで、リールボディ１２ａに対して正確に位置決めすることができる。そして、蓋体１２ｂの内面側から突出する浮上がり防止部７２をリールボディ１２ａの上部に設けた溝７０内に挿入し、通孔７２ａを支持孔６４に整合させる。図示しない固定ネジを蓋体１２ｂの取付孔に挿通し、リールボディ１２ａのネジ孔１１に螺合した後、リヤキャップ５０の細長い突起６２を支持孔６４内に挿入し、固定ネジ５４を取付孔５６を介してリールボディ１２ａのネジ孔に締付け、リヤキャップ５０の下部をリールボディ１２ａの下部に固定する。また、リヤキャップ５０の上部は、リールボディ１２ａの上部に形成した取付孔６６に挿入した固定ネジ６８を突起６２の先端に開口するネジ孔６２ａに螺合することで、このリールボディ１２ａの上部に締付け固定する。
【００２４】
浮上がり防止部７２は、固定ネジ６８で固定されたリヤキャップ５０の突起６２で抜け止めされており、別個の固定ネジを必要としない。しかも、突起６２を固定する固定ネジ６８はリールボディ１２ａの取付孔６６内に収容されているため、外部に露出することもない。この浮上がり防止部７２は、固定ネジ６８の締付け量に係りなく、正確な位置に保持されるため、３本の固定ネジで、蓋体１２ｂの周部に沿ってバランスよく締付固定することができる。
【００２５】
このように形成した魚釣用スピニングリール１０は、釣糸を介して作用する大きな負荷に対応してハンドル２２を回転操作する際、釣竿に固定された竿取付部１２ｄを介して作用する力と、ハンドル２２を介して作用する巻上力とにより、蓋体１２ｂはリールボディ１２ａから浮上がろうとする。このような浮上がろうとする力は、本実施形態ではそれぞれネジ孔１１に螺合される３本の固定ネジと、係合部材であるリヤキャップ５０の細長い突起６２を通孔７２ａに挿通した浮上がり防止部７２とで、蓋体１２ｂの周部に沿ってバランスよく支えられ、軽量構造であっても、リール本体１２の剛性の低下が抑制される。これにより、巻上げ操作時の効率の低下も確実に防止することができる。
【００２６】
更に、固定ネジ６８を締付けることで、リールボディ１２ａと蓋体１２ｂとリヤキャップ５０とを同時に固定することができ、作業工程の簡素化および部品点数の削減が可能となり、製造コストを低減することができる。
【００２７】
以上、本発明の好ましい実施形態について説明してきたが、本発明は上述の実施形態に限定されるものではなく、様々な用途に応じて適宜に組合せあるいは変更することが可能である。例えば、浮上がり防止部７２に形成した通孔７２ａは、リヤキャップ５０の突起６２で係止できるものであれば、図示のような丸孔に代え、例えばＵ字状の溝で形成することもできる。また、浮上がり防止部７２を係止する係合部材として、リヤキャップ５０の固定用の突起６２を共用したが、リヤキャップ５０とは独立した部材で形成してもよい。
【図面の簡単な説明】
【００２８】
【図１】本発明の好ましい実施形態による魚釣用スピニングリールの部分断面図。
【図２】図１の魚釣用スピニングリールの部分拡大図。
【図３】図２に示す各部材を分解した状態の説明図。
【図４】図１のＩＶ−ＩＶ線に沿う断面図。
【符号の説明】
【００２９】
１０…魚釣用スピニングリール、１２…リール本体、１２ａ…リールボディ、１２ｂ…蓋体、１４…ロータ、２４…ハンドル軸、５０…リヤキャップ、６２…突起（係合部材）、７２…浮上がり防止部。
【図１】
2007097424.tif 000003
【図２】
2007097424.tif 000004
【図３】
2007097424.tif 000005
【図４】
2007097424.tif 000006